(57)【要約】【課題】オーバーストローク吸収機構を備えた外部操作ハンドル装置について、回路遮断器の接点が溶着した異常状態では、ハンドル装置の操作摘まみをＯＦＦ表示位置へ移動できないようにして安全性を高める。【解決手段】ロッカーハンドル付きの回路遮断器をＯＮ, ＯＦＦ，ＲＥＳＥＴ操作する外部操作ハンドル装置で、該ハンドル装置のボディ内部に設けたプッシャ付きのスライドベース14に対し、ロッカーハンドルのＯＮ側サイドに対峙するプッシャ15が圧縮ばね17（オーバーストローク吸収ばね）を介して連結されているものにおいて、ＯＮ位置では前記連結ばねを不動作状態に鎖錠し、ＯＦＦ位置で鎖錠を釈放するロック手段として、板ばね１９ａの先端にストッパピン１９ｂ設けたロック片１９をスライドベースに付設してそのストッパピンをプッシャ１５の背後へ出没可能に対峙させ、ＯＮ位置では前記ストッパピンをプッシャの背後に押し込み、ＯＦＦ位置ではプッシャから離脱させる。【選択図】        図１
2007134148.tif 000002
【特許請求の範囲】
【請求項１】
盤内に配置したロッカーハンドル付き回路遮断器を盤外からＯＮ, ＯＦＦ，ＲＥＳＥＴ操作する外部操作ハンドル装置であって、該ハンドル装置が回路遮断器の本体に連結したボディと、ボディの前面に設けた回転式の操作摘まみと、該操作摘まみの軸に結合したターンベースに連繋してボディの内部にスライド可能に案内支持したプッシャ付きのスライドベースとの組立体からなり、前記スライドベースに設けたプッシャは、回路遮断器のロッカーハンドルを挟んでそのＯＮ側，ＯＦＦ側サイドに対峙させた一対のプッシャからなり、かつＯＮ側サイドに対峙するプッシャがオーバーストローク吸収機構としての圧縮ばねを介して前後方向へ変位可能に連結されているものにおいて、
前記スライドベースに、ハンドルのＯＮ位置ではオーバーストローク吸収機構を非動作状態に鎖錠し、ＯＦＦ位置で鎖錠を釈放するロック手段を備えたことを特徴とする回路遮断器の外部操作ハンドル装置
【請求項２】
請求項１に記載の外部操作ハンドル装置において、オーバーストローク吸収機構のロック手段が、板ばねの一端をスライドベースに固定し、先端のストッパ部をプッシャの背後へ出没可能に対峙させてボディとの間に介挿したロック片になり、ハンドル操作に連動してＯＮ位置では前記ストッパ部をプッシャの背後に押し込んでプッシャとともにオーバーストローク吸収機構をこの位置に拘束し、ＯＦＦ位置では板ばねの弾性復元によりストッパ部をプッシャから離脱させてオーバーストローク吸収機構の拘束を釈放するようにしたことを特徴とする回路遮断器の外部操作ハンドル装置。
【請求項３】
請求項２に記載の外部操作ハンドル装置において、二組の板ばね形ロック片をスライドベースの左右両サイドに配置し、各ロック片の先端に設けたストッパピンをハンドルのＯＮ位置でプッシャの背後に押し込んでプッシャをこの位置に拘束するようにしたことを特徴とする回路遮断器の外部操作ハンドル装置。
【請求項４】
請求項２に記載の外部操作ハンドル装置において、１組の板ばね形ロック片をスライドベースの中央に配置し、その板ばねの先端側に屈曲形成したストッパ部をハンドルのＯＮ位置でプッシャの背後に押し込んでプッシャをこの位置に拘束するようにしたことを特徴とする回路遮断器の外部操作ハンドル装置。
【発明の詳細な説明】
【技術分野】
【０００１】
本発明は低圧配電盤，制御盤などに配備した回路遮断器を盤外からＯＮ，ＯＦＦ，ＲＥＳＥＴ操作する外部操作ハンドル装置に関する。
【背景技術】
【０００２】
低圧配電盤，制御盤などに配備した回路遮断器（例えばオートブレーカ）を盤外から手動でＯＮ，ＯＦＦ，ＲＥＳＥＴ操作するために、回路遮断器に組み合わせて使用する付属装置（オプション品）として外部操作ハンドル装置が周知である。
ここで、前記の回路遮断器，および回路遮断器に組み合わせて使用する外部操作ハンドル装置の構造を図７（ａ），（ｂ）に示す。
図７において、１は回路遮断器、２は回路遮断器１に取り付けた外部操作ハンドル装置であり、回路遮断器１は、本体ケース３に固定接触子４，可動接触子５，トグルリンク式開閉機構６，過電流引外し装置７，および開閉操作用のロッカーハンドル８を搭載しており、ロッカーハンドル８をＯＮ，ＯＦＦ位置に倒すと、これに連動して開閉機構６が開閉スプリングのばね力を受けて反転動作し、主回路接点を閉極，開極させる。一方、回路遮断器１の投入状態で主回路に過電流が流れた際には、過電流検出装置７の出力信号を受けて主回路接点を開極させるようにトリップ動作する。なお、トリップ動作後に回路遮断器１を再投入するには、ロッカーハンドル８をトリップ動作位置から一端ＯＦＦ位置に戻し、さらにＯＦＦ位置からＲＥＳＥＴ位置に押し込んで開閉機構６のラッチをリセット（このリセット操作には大きな負荷力が加わる）させた上で、改めてロッカーハンドル８をＯＮ位置に切り換える。
【０００３】
また、前記の外部操作ハンドル装置２は、回路遮断器１の本体ケース３にねじ止め連結したボディ９に回転式の操作つまみ１０，および該操作つまみ１０と回路遮断器のロッカーハンドル８との間を連繋する後記のドライブ機構を搭載した組立体になり、操作つまみ１０をＯＮ，ＯＦＦ，ＲＥＳＥＴの表示位置に回して回路遮断器をＯＮ，ＯＦＦ，ＲＥＳＥＴ操作する。なお、１１は操作つまみ１０のＯＮ，ＯＦＦ，ＲＥＳＥＴ位置を指示する表示板、１２は操作つまみ１０のＯＦＦ位置で南京錠を掛け、操作摘まみをこの位置に鎖錠する引出式のロック板である。
ここで、前記のドライブ機構は、操作つまみ１０の軸に連結したターンベース１３と、ターンベース１３に設けたクランクピン１３ａに連繋して直線方向へ移動可能にボディ９の内部に案内支持したスライドベース１４とを組み合わせたもので、スライドベース１４の下面側には回路遮断器１のロッカーハンドル８を挟んでそのＯＮ側，ＯＦＦ側サイドに対峙するように突き出した一対のプッシャ１５，１６を備えている。
【０００４】
上記の構成で、前記操作つまみ１０をＯＮ，ＯＦＦ，ＲＥＳＥＴ位置に回転操作すると、ターンベースのクランクピン１３ａを介してスライドベース１４が直線方向にスライド移動し、前記のプッシャ１５，１６がロッカーハンドル８を押してＯＮ，ＯＦＦ，ＲＥＳＥＴ位置に駆動する。
一方、回路遮断器１のトリップ動作後に行うＲＥＳＥＴ操作で、外部操作ハンドル装置２によりトリップ表示位置に停止しているロッカーハンドル８を、ＯＦＦ位置を経てＲＥＳＥＴ位置に押し込む際に、操作摘まみ１０に大きな力を加えて勢いよく回すと、ロッカーハンドル８のストロークが過剰（オーバーストローク）となってロッカーハンドル８が所定のＲＥＳＥＴ位置を超えて遮断器本体ケースの開口窓の縁に激しく衝突し、その衝撃でハンドル，ケースが破損するおそれがある。
【０００５】
そこで、ＲＥＳＥＴ操作時におけるロッカーハンドル８のオーバーストロークを吸収させるための手段として、図８で示すようにスライドベース１４のＯＮ側サイドに設けたプッシャ１５をスライドベース１４から分離した上で、その背面とスライドベースの後端との間にオーバーストローク吸収機構として機能する連結ばね１７（ジグザグ形状の圧縮ばね）をスライドベース（樹脂成形品）と一体に成形した構成のものが先に本発明と同一出願人より提案され（特許文献１参照）、製品として実施化されている。なお、図９，図１０，図１１は回路遮断器１に組み合わせた前記のオーバーストローク吸収機構付き外部操作ハンドル装置２のＯＮ，ＯＦＦ，ＲＥＳＥＴの各操作位置に対応する操作摘まみ１０とロッカーハンドル８の動作状態を表しており、図中で１８は回路遮断器１を配備した盤の前面パネルである。
【特許文献１】特開平９−２４５６０３号公報（第３頁、図１−図６）
【発明の開示】
【発明が解決しようとする課題】
【０００６】
ところで、前記のようにオーバーストローク吸収機構付きの外部操作ハンドル装置は、機能，操作面で次記のような不具合が生じるおそれがある。
すなわち、最近の配線用回路遮断器は、ハンドルの誤操作，活線誤認を防ぐ安全対策として、主回路に過大な電流が流れて主接点が溶着した異常事態が生じた場合に、開閉機構を機械的にロックしてロッカーハンドルをＯＦＦ位置に移動できないようにするアイソレーション機能を備えたものが多い。
しかしながら、前記のようオーバーストローク吸収機構を備えた外部操作ハンドル装置では、回路遮断器の主接点が溶着した異常発生の状態でこれを気づかずに外部操作ハンドル装置をＯＦＦ操作すると、回路遮断器自身はそのアイソレーション機能でロッカーハンドルがＯＮ位置にロックされているにもかかわらず、外部操作ハンドル装置はそのオーバーストローク吸収機構が働いて（図８における連結ばね１７が弾性変形してプッシャ１５が相対的に後退する）操作摘まみがＯＦＦ表示位置まで回り、このＯＦＦ位置で図７（ｂ）に示したロック板１２に南京錠を施錠することが可能となる。
【０００７】
しかも、この状態では回路遮断器の主接点は溶着して閉極しているにもかかわらず、外部操作ハンドル装置の操作つまみ１はＯＦＦ位置を表示することになる。このために、保守員は外部操作ハンドル装置のＯＦＦ表示から回路遮断器が断路していると誤認し、回路遮断器の二次側（負荷側）回路に触れて感電する危険がある。
本発明は上記の点に鑑みなされたものであり、外部操作ハンドル装置に簡易な部品を追加装備することで、オーバーストローク吸収機構の機能を保持しつつ、回路遮断器の主接点が溶着した異常状態では、外部操作ハンドルをＯＦＦ操作しようとしてもその操作摘まみがＯＦＦ表示位置へ移動できないようにアイソレーション機能を付与して安全性を高めた回路遮断器の外部操作ハンドル装置を提供することを目的とする。
【課題を解決するための手段】
【０００８】
上記目的を達成するために、本発明によれば、盤内に配置したロッカーハンドル付き回路遮断器を盤外からＯＮ, ＯＦＦ，ＲＥＳＥＴ操作する外部操作ハンドル装置で、該ハンドル装置が回路遮断器の本体に連結したボディと、ボディの前面に設けた回転式の操作摘まみと、該操作摘まみの軸に結合したターンベースに連繋してボディの内部にスライド可能に案内支持したプッシャ付きのスライドベースとの組立体からなり、ここでスライドベースに設けたプッシャは回路遮断器のロッカーハンドルを挟んでそのＯＮ側，ＯＦＦ側サイドに対峙させた一対のプッシャからなり、かつＯＮ側サイドに対峙するプッシャがオーバーストローク吸収機構としての圧縮ばねを介して前後方向へ変位可能に連結されているものにおいて、
前記スライドベースに、ハンドルのＯＮ位置ではオーバーストローク吸収機構を非動作状態に鎖錠し、ＯＦＦ位置で鎖錠を釈放するロック手段を備え（請求項１）、そのロック手段は具体的に次記のよう態様で構成するものとする。
（１）前記のオーバーストローク吸収機構のロック手段は、板ばねの一端をスライドベースに固定し、先端のストッパ部をプッシャの背後へ出没可能に対峙させてボディとの間に介挿したロック片になり、ハンドル操作に連動してＯＮ位置では前記ストッパ部をプッシャの背後に押し込んでプッシャとともにオーバーストローク吸収機構をこの位置に拘束し、ＯＦＦ位置では板ばねの弾性復元によりストッパ部をプッシャから離脱させてオーバーストローク吸収機構の拘束を釈放するよう構成する（請求項２）。
（２）前項（１）において、二組の板ばね形ロック片をスライドベースの左右両サイドに配置し、各ロック片の先端に設けたストッパピンをハンドルのＯＮ位置でプッシャの背後に押し込んでプッシャをこの位置に拘束するようにする（請求項３）。
（３）前項（１）において、１組の板ばね形ロック片をスライドベースの中央に配置し、その板ばねの先端側に屈曲形成したストッパ部をハンドルのＯＮ位置でプッシャの背後に押し込んでプッシャをこの位置に拘束するようにする（請求項４）。
【発明の効果】
【０００９】
上記の構成において、外部操作ハンドル装置のＯＮ操作位置では、スライドベースに設けた板ばねロック片の先端ストッパ部がＯＮ側サイドのプッシャをこの位置に拘束してオーバーストローク吸収機構が働かないように鎖錠する。これにより、回路遮断器の主接点が溶着した異常発生の状態で、その異常を気づかずに外部ハンドル装置をＯＦＦ操作しようとしても、ＯＮ側サイドのプッシャが回路遮断器のロッカーハンドル（接点溶着の状態では、回路遮断器のアイソレーション機能の働きでロッカーハンドルはＯＮ位置にロックされている）に突き当たった位置に停止し、スライドベースはそれ以上に前に進むことできない。したがって、スライドベースに連結した操作摘まみもＯＦＦ位置に回すことができず、この挙動から保守員は回路遮断器の異常発生を認知できる。また、この状態では操作摘まみをＯＦＦ位置に南京錠でロックすることも不可能となるため、ハンドル操作の誤認による二次的な感電事故を未然に防いで保守作業の安全性を確保できる。
【００１０】
一方、外部操作ハンドル装置のＯＦＦ操作によりスライドベースがＯＦＦ位置に移動すると、前記ロック片のストッパ部がプッシャから離脱してオーバーストローク吸収機構の鎖錠を釈放する。したがって、回路遮断器が接点溶着のない正常状態にあれば、回路遮断器のトリップ動作後に外部操作ハンドル装置の操作でロッカーハンドルをＯＦＦからＲＥＳＥＴ位置に押し込む過程では、オーバーストローク吸収機構が有効に働いて回路遮断器を過剰なハンドルのオーバーストロークから安全に防護できる。
【発明を実施するための最良の形態】
【００１１】
以下、本発明の実施の形態を図示実施例に基づいて説明する。なお、実施例の図中で図７，図８に対応する部材には同じ符号を付してその説明は省略する。
【実施例１】
【００１２】
まず、本発明の請求項２，３に対応する実施例の構造，動作を図１〜図４で説明する。なお、図１は外部操作ハンドル装置に装備したスライドベースの要部構造を表す斜視図、図２は外部操作ハンドル装置のボディ内部の詳細な組立構造図、図３，図４はそれぞれ回路遮断器に取り付けた外部操作ハンドル装置のＯＮ，ＯＦＦ操作の動作状態を表す図である。
この実施例においては、図７，図８に示した外部操作ハンドル装置２のスライドベース１４に対し、そのオーバーストローク吸収機構のロック手段として、図１（ａ），（ｂ）で示すようにスライドベース１４の上面にはＯＮ側サイドのプッシャ１５に対向してその左右両サイドに２組のロック片１９が分散配備されている。
このロック片１９は、その一端をスライドベース１４に固定した板ばね１９ａの先端にプッシャ１５の背後に向けて突き出すストッパピン１９ｂを設けた形状になり、フリーの状態では板ばね１９ａの弾性により前記ストッパピン１９ｂがプッシャ１５の背後から上方に抜け出し（図１（ｂ）参照）、板ばね１９ａを上方から押さえ込むと先端のストッパピン１９ｂがプッシャ１５の背後に潜り込んで該プッシャの背後に結合した連結ばね１７の圧縮変形を阻止するようにしている。
【００１３】
また、前記スライドベース１４を組み込んだ外部操作ハンドル装置のボディ９には、図２（ｃ），（ｄ）で示すように、スライドベース１４のＯＮ位置で前記ロック片１９を上方から押え込ように迫り出した段差部９ａが形成されている。
上記の構成で、外部操作ハンドル装置２の操作摘まみ１０をＯＮ位置にセットした状態（図３（ａ），（ｂ）参照）では、スライドベース１４が図２（ａ）〜（ｃ）に示す位置に停止し、スライドベース１４に設けたロック片１９の板ばね１９ａがボディ９の段差部９ａにより上方から押さえ込まれて先端のストッパピン１９ｂがプッシャ１５の背後に潜り込む（図１（ａ），図２（ｃ）参照）。この状態では、プッシャ１５を図１（ａ）の矢印ＯＮ側に押し込もうとしても、プッシャ１５はストッパピン１９ｂに係止，拘束されて動けず、これによりプッシャ１５の背後に結合した連結ばね１７は圧縮変形できない。つまり、オーバーストローク吸収機構が不動作状態に鎖錠されることになる。
【００１４】
一方、外部操作ハンドル装置のＯＦＦ操作により、スライドベース１４がＯＦＦ位置に移動すると（図４（ａ），（ｂ）参照）、図２（ｄ）で示すようにロック片１９がボディ９の段差部９ａから抜け出してフリーの状態となる。これにより、板ばね１９ａが弾性復元して先端のストッパピン１９ｂがプッシャ１５から上方に離脱し、いままで鎖錠されていた連結ばね１７も圧縮変形可能となる。つまり、オーバーストローク吸収機構は鎖錠が釈放された状態になる。
上記したロック片１９の動作により、回路遮断器１の主接点が溶着した異常発生の状態では、外部ハンドル装置２の摘まみ１０をＯＮ位置からＯＦＦ位置に回そうとしても、スライドベース１４の連結ばね１７が圧縮変形できないために、ＯＮ側サイドのプッシャ１５は回路遮断器のロッカーハンドル８に突き当たった位置に停止し、スライドベース１４はそれ以上に前に進むことできない。したがって、操作摘まみ１０はＯＦＦ位置まで回すことができず、この挙動から保守員は回路遮断器の異常発生を認知できる。また、操作摘まみ１０に南京錠を掛けてＯＦＦ表示位置でロックすることも不可能となるため、ハンドル操作の誤認による二次的な感電事故を防いで保守面での安全性確保が図れる。
【実施例２】
【００１５】
次に、本発明の請求項４に対応する応用実施例を図５，図６に示す。すなわち、この実施例では、オーバーストローク吸収機構のロック手段として、図５で示すように１組のロック片１９が連結ばね１７の上を跨ぐようにしてスライドベース１４のＯＮ側サイドの終端部中央に設置されている。このロック片１９は、先記実施例１のロック片とは形状，配置の向きが異なり、その板ばね１９ａはその板面中央に凹状のアーチ部を形成して撓み剛性を高めた上で、後端をスライドベース１４に形成した窓部の後端面に固定し、さらに板ばね１９ａの先端をＬ形に屈曲してストッパ部１９ｃとなし、このストッパ部１９ｃをプッシャ１５の背面と向き合うように対峙させている。
また、このロック片１９の上方に対向して外部操作ハンドル装置のボディ内部には、先記実施例１と同様にＯＮ位置でロック片１９を下方に押え込む段差部９ａが形成されている（図６（ｂ）参照）。
【００１６】
上記の構成により、外部操作ハンドル装置をＯＮ位置にセットした状態では、図５（ａ）で示すようにロック片１９が前記の段差部９ａで押さえ込まれ、その先端に形成したストッパ部１９ｃがプッシャ１５の背後に潜り込んで連結ばね１７が圧縮変形するのを阻止する。一方、外部操作ハンドル装置のＯＦＦ操作でスライドベース１４がＯＦＦ位置にスライドすると、ロック片１９の板ばね１９ａは前記段差部９ａから抜け出して弾性復元し、図５（ｂ）で示すように先端のストッパ部１９ｃがプッシャ１５から上方に離脱してオーバーストローク吸収機構の鎖錠を釈放する。
これにより、先記の実施例１で述べたと同様に、ＲＥＳＥＴ操作時にはオーバーストローク吸収機能を有効に働かして回路遮断器１のロッカーハンドル８に衝撃荷重が加わるのを防止しつつ、回路遮断器１に接点溶着の異常が発生した状態では、ロック片１９の働きによりオーバーストローク吸収機構を不動作状態に鎖錠してスライドベース１４をＯＮ位置に拘束し、外部操作ハンドル装置２の操作摘まみ１０（図７参照）をＯＮ位置からＯＦＦ表示位置に回せないようにして安全性を確保することができる。
【図面の簡単な説明】
【００１７】
【図１】本発明の実施例１に係わる外部操作ハンドル装置に装備したスライドベースの要部構造図で、（ａ），（ｂ）はそれぞれＯＮ，ＯＦＦ位置に対応するロック片の動作状態を表す斜視図
【図２】図１のスライドベースを装備した外部操作ハンドル装置の詳細な内部構造図で、（ａ）は平面図，（ｂ）は側視断面図、（ｃ），（ｄ）は（ｂ）のＡ部拡大図で図１（ａ），（ｂ）に対応するロック片の動作状態を表す図
【図３】図１に対応する外部操作ハンドル装置を回路遮断器に組み付けてＯＮ操作した状態を表す図で、（ａ）は正面図、（ｂ）は側面図
【図４】図１に対応する外部操作ハンドル装置を回路遮断器に組み付けてＯＦＦ操作した状態を表す図で、（ａ）は正面図、（ｂ）は側面図
【図５】本発明の実施例２に係わる外部操作ハンドル装置に装備したスライドベースの要部構造図で、（ａ），（ｂ）はそれぞれＯＮ，ＯＦＦ位置に対応するロック片の動作状態を表す斜視図
【図６】図５のスライドベースを装備した外部操作ハンドル装置の詳細な内部構造図で、（ａ）は平面図，（ｂ）は側視断面図
【図７】配線用回路遮断器に従来の外部操作ハンドル装置を組み付けた使用状態での構成図で、（ａ）は断面側視図、（ｂ）は（ａ）の平面図
【図８】図７の外部操作ハンドル装置に装備したドライブ機構部の斜視図
【図９】図７で外部操作ハンドル装置をＯＮ操作した動作状態を表す図で、（ａ）は正面図、（ｂ）は側面図
【図１０】図７で外部操作ハンドル装置をＯＦＦ操作した動作状態を表す図で、（ａ）は正面図、（ｂ）は側面図
【図１１】図７で外部操作ハンドル装置をＲＥＳＥＴ操作した動作状態を表す図で、（ａ）は正面図、（ｂ）は側面図
【符号の説明】
【００１８】
１    回路遮断器
２    外部操作ハンドル装置
８    回路遮断器のロッカーハンドル
９    外部操作ハンドル装置のボディ
１０    操作摘まみ
１３    ターンベース
１３ａ  クランクピン
１４    スライドベース
１５    ＯＮ側サイドのプッシャ
１７    連結ばね（オーバーストローク吸収機構）
１９    ロック片
１９ａ  板ばね
１９ｂ  ストッパピン
１９ｃ  ストッパ部
【図１】
2007134148.tif 000003
【図２】
2007134148.tif 000004
【図３】
2007134148.tif 000005
【図４】
2007134148.tif 000006
【図５】
2007134148.tif 000007
【図６】
2007134148.tif 000008
【図７】
2007134148.tif 000009
【図８】
2007134148.tif 000010
【図９】
2007134148.tif 000011
【図１０】
2007134148.tif 000012
【図１１】
2007134148.tif 000013